(57)【要約】【課題】ずれや脱落を防止することが可能な螺旋状表示体を提供する。【解決手段】長尺の取付対象に装着される螺旋状表示体１であり、当該螺旋状表示体１は、曲げ弾性率が８００ＭＰａ以上の特性を有する樹脂からなり、螺旋状に形状が保持されているベース材２と、ベース材２の外表面に固着され、光を反射する反射材３とを備えている。ベース材２の内径は、取付対象の外径よりも小さくなるように設定されている。【選択図】図１
2014164251.tif 000002
【特許請求の範囲】
【請求項１】
長尺の取付対象に装着される螺旋状表示体であって、
曲げ弾性率が８００ＭＰａ以上の特性を有する樹脂からなり、螺旋状に形状が保持されているベース材と、
前記ベース材の外表面に固着され、光を反射する反射材と
を備えており、
前記ベース材の内径は、前記取付対象の外径よりも小さくなるように設定されている、
ことを特徴とする螺旋状表示体。
【請求項２】
前記曲げ弾性率が２２００ＭＰａ以下である、
請求項１に記載の螺旋状表示体。
【請求項３】
前記ベース材を補強する繊維層をさらに備えている、
請求項１または２に記載の螺旋状表示体。
【請求項４】
前記繊維層は、前記ベース材の内面に固着されている請求項３に記載の螺旋状表示体。
【請求項５】
前記反射材を前記ベース材に融着する融着性樹脂層をさらに備えている、
請求項１から４のいずれかに記載の螺旋状表示体。
【請求項６】
前記反射材の幅は、前記ベース材の幅の０．１〜０．８倍の範囲であり、
前記反射材は、前記ベース材の外表面に連続して固着され、
前記反射材と前記ベース材とが互いに異なる色を有する、
請求項１から５のいずれかに記載の螺旋状表示体。
【請求項７】
前記ベース材は、暗色である、請求項６に記載の螺旋状表示体。
【請求項８】
前記取付対象は、道路の路肩に設置された柱状体である、
請求項１から７のいずれかに記載の螺旋状表示体。
【請求項９】
前記ベース材を前記柱状体に固定する固定部材をさらに備えている請求項８に記載の螺旋状表示体。
【請求項１０】
前記ベース体が溶融状態で螺旋状に成形されるとともに前記反射材が前記ベース体の外表面に融着され、その後に当該ベース体が螺旋状に形状保持された状態で固化されている、
請求項１から９のいずれかに記載の螺旋状表示体。
【請求項１１】
請求項１から１０に記載の螺旋状表示体の製造方法であって、
前記ベース体を溶融状態で螺旋状に成形するとともに、前記反射材を前記ベース体の外表面に融着する成形工程と、
前記ベース体を固化して前記螺旋状に形状保持する形状保持工程と
を含む螺旋状表示体の製造方法。
【請求項１２】
前記成形工程において、前記ベース体を溶融状態で螺旋状に成形する際に繊維層を前記ベース体の内面に付着させる、
請求項１１に記載の螺旋状表示体の製造方法。
【発明の詳細な説明】
【技術分野】
【０００１】
本発明は、螺旋状表示体およびその製造方法に関するものである。
【背景技術】
【０００２】
自動車が通る道路の脇には、一般的には、電柱やガードレールなどが存在しているが、夜間の通行時には電柱等の柱状体が見えにくい場合がある。そこで、自動車の運転者等に対して道路脇の電柱等の柱状体の存在を注意喚起させるために、特許文献１に記載されているような螺旋状表示体を電柱等の柱状体に取り付けることが提案されている。
【０００３】
この螺旋状表示体は、長尺のベルト部材と、当該ベルト部材の外表面に設けられた反射部と、両面テープと、当該ベルト部材の端部を締め付け保持するバンド状の締付部品とを備えている。ベルト部材は、螺旋状に巻き付けることが可能な中密度のポリエチレンなどの弾性素材からなる。このベルト部材は、電柱等の柱状体の外周面に螺旋状に巻き付けられ、両面テープを介して電柱等の柱状体に接着され、さらに、ベルト部材の端部と当該ベルト部材における当該端部に対向する部分との間を締付部品によって連結することにより、電柱等の柱状体の外表面に保持されている。
【先行技術文献】
【特許文献】
【０００４】
【特許文献１】特開２００６−１８０８８号公報
【発明の概要】
【発明が解決しようとする課題】
【０００５】
しかしながら、特許文献１に開示された螺旋状表示体では、ベルト部材は、螺旋状に巻き付けることが可能な中密度のポリエチレンなどの弾性素材からなり、カール癖は付いているが、それ自体の剛性が弱いので、長尺のベルト部材を両面テープを介して電柱等の柱状体の表面に接着し、かつ、当該ベルト部材の端部を締付部品を用いて締め付け保持する必要がある。そのため、両面テープによる接着力および締付部品による締め付けが十分でなければ、当該螺旋状表示体は電柱等の柱状体からずれ落ちるおそれがある。とくに、電柱表面にごみが付着していると接着力が低下する。
【０００６】
そこで、本発明は、かかる点に鑑みてなされたものであり、その目的とするところは、ずれや脱落を防止することが可能な螺旋状表示体を提供することにある。
【課題を解決するための手段】
【０００７】
前記の目的を達成するため、本発明の螺旋状表示体は、長尺の取付対象に装着される螺旋状表示体であって、曲げ弾性率が８００ＭＰａ以上の特性を有する樹脂からなり、螺旋状に形状が保持されているベース材と、前記ベース材の外表面に固着され、光を反射する反射材とを備えており、前記ベース材の内径は、前記取付対象の外径よりも小さくなるように設定されていることを特徴とするものである。
【０００８】
かかる構成では、ベース材は、従来の螺旋状表示体よりも高い曲げ弾性および剛性を有することによって高い保形性が得られるように、曲げ弾性率が８００ＭＰａ以上の特性を有する樹脂からなり、螺旋状に形状が保持されている。しかも、ベース材の内径は、前記取付対象の外径よりも小さくなるように設定されているので、ベース材を取付対象に装着したときに、ベース材が弾性変形するので、取付対象の外周面に保持される。したがって、ベース材が有する弾性および曲げ剛性に起因する当該ベース材の保形性によって、ベース材が弾性変形して取付対象の外周面を締め付け、それによって、当該取付対象の外周面からずれ落ちることを防止することが可能である。
【０００９】
また、前記曲げ弾性率が２２００ＭＰａ以下であるのが好ましい。
【００１０】
ベース材の曲げ弾性率が８００〜２２００ＭＰａであれば、螺旋状表示体を取付対象の外周面に装着する作業だけで装着後はベース部材の保形性によって当該取付対象を締め付けて固定されるので、従来のように螺旋状表示体を柱状体の取付対象の外周面に接着したり、締結部品で当該螺旋状表示体の端部を締結したりする作業が不要になる。そのため、作業工程を削減し、取付作業性を大幅に向上することが可能である。
【００１１】
また、前記ベース材を補強する繊維層をさらに備えているのが好ましい。
【００１２】
かかる構成によれば、繊維層によって、ベース材を補強することが可能になり、曲げ剛性の高い樹脂を用いてベース部材を形成しても当該ベース部材を屈曲や伸縮したときにベース材が割れるおそれを低減することが可能である。これにより、取り付け作業時に押し広げても、ベース材が割れるおそれを大幅に低減することが可能である。
【００１３】
さらに、前記繊維層は、前記ベース材の内面に固着されているのが好ましい。
【００１４】
かかる構成によれば、繊維層がベース材の内面に固着されているので、螺旋状表示体を取付対象に装着したときに当該繊維層がベース材と取付対象との間に介在することによってこれらの間の摩擦を増大させ、当該螺旋状表示体のずれをより確実に防止することが可能である。
【００１５】
また、前記反射材を前記ベース材に融着する融着性樹脂層をさらに備えているのが好ましい。
【００１６】
かかる構成によれば、ベース体を溶融状態で螺旋状に成形するときに、それと同時に融着性樹脂層によって反射材をベース材に融着することが可能である。これにより、製造工程の削減が可能になる。
【００１７】
さらに、前記反射材の幅は、前記ベース材の幅の０．１〜０．８倍の範囲であり、前記反射材は、前記ベース材の外表面に連続して固着され、前記反射材と前記ベース材とが互いに異なる色を有するのが好ましい。
【００１８】
かかる構成によれば、互いに異なる色の反射材とベース材とを同時に視認することが可能になり、しかも、ベース材と反射材との間で色調または明暗の差を形成することが可能になるので、螺旋状表示体の視認性を向上することが可能になる。
【００１９】
さらに、前記ベース材は、暗色であるのが好ましい。
【００２０】
かかる構成によれば、ベース材が暗色であるので、白色などの明るい色の取付対象に螺旋状表示体を装着したときに、当該取付対象の色とベース材との明暗の差が顕著になるので、視認性がより向上する。
【００２１】
さらに、前記取付対象は、道路の路肩に設置された柱状体であるのが好ましい。
【００２２】
かかる構成によれば、取付対象として道路の路肩に設置された柱状体に螺旋状表示体を装着することにより、螺旋状表示体によって道路を通行する自動車の運転手の視線を誘導することが可能になる。とくに、螺旋状表示体は無指向性であり、柱状体の周囲においてどの方向から見ても当該螺旋状表示体を視認することが可能であるので、指向性のあるデリメータなどの従来公知の視線誘導表示器と比較して、視認性を大幅に向上することが可能である。
【００２３】
さらに、前記ベース材を前記柱状体に固定する固定部材をさらに備えているのが好ましい。
【００２４】
かかる構成によれば、固定部材によって、前記ベース材が前記柱状体に固定されるので、螺旋状表示体の盗難を防止することが可能である。
【００２５】
さらに、前記ベース体が溶融状態で螺旋状に成形されるとともに前記反射材が前記ベース体の外表面に融着され、その後に当該ベース体が螺旋状に形状保持された状態で固化されているのが好ましい。
【００２６】
かかる構成によれば、高い曲げ弾性率および高い剛性を有する螺旋状表示体を連続的に製造できるので、当該螺旋状表示体を少ない製造工程で短時間に大量生産することが可能である。
【００２７】
また、本発明における前記螺旋状表示体の製造方法は、前記螺旋状表示体の製造方法であって、前記ベース体を溶融状態で螺旋状に成形するとともに、前記反射材を前記ベース体の外表面に融着する成形工程と、前記ベース体を固化して前記螺旋状に形状保持する形状保持工程とを含むことを特徴とする。
【００２８】
かかる特徴によれば、高い曲げ弾性率および高い剛性を有する螺旋状表示体連続的に製造できるので、当該螺旋状表示体を少ない製造工程で短時間に大量生産することが可能である。
【００２９】
前記成形工程において、前記ベース体を溶融状態で螺旋状に成形する際に繊維層を前記ベース体の内面に付着させるのが好ましい。
【００３０】
かかる特徴によれば、ベース材を溶融状態で螺旋状に成形しながら当該ベース材の内面に繊維層を付着させた後に当該ベース材を固化させるときに、繊維層によってベース材の内面にシワが発生することを防止するので、ベース材の材料の偏在を防止し、その結果、螺旋状表示体の耐久性が向上する。
【発明の効果】
【００３１】
以上説明したように、本発明の螺旋状表示体によれば、取付対象からのずれや脱落を防止することができる。しかも、取付作業性を向上することができる。
【００３２】
また、本発明の螺旋状表示体の製造方法によれば、螺旋状表示体を少ない製造工程で短時間に連続的に大量生産することが可能である。
【図面の簡単な説明】
【００３３】
【図１】本発明の実施形態に係る螺旋状表示体の正面図である。
【図２】図１の螺旋状表示体の断面図である。
【図３】図１の螺旋状表示体を直管の外表面に取り付けた状態を示す説明図である。
【図４】図１の螺旋状表示体を道路脇のガードレールの支柱に取り付けた状態を示す説明図である。
【図５】図１の螺旋状表示体をアーチ状に曲がった管の外表面に取り付けた状態を示す説明図である。
【図６】図１の螺旋状表示体の製造方法を示す説明図である。
【発明を実施するための形態】
【００３４】
以下、本発明を実施するための形態について図面を参照しながら詳細に説明する。
【００３５】
図１〜３に示すように、本実施形態に係る螺旋状表示体１は、長尺の取付対象（図３の直管２１など）に装着される螺旋状表示体１である。
【００３６】
螺旋状表示体１は、樹脂からなるベース材２と、反射材３と、融着性樹脂層４と、繊維層５と、カバー層６とを備えている。
【００３７】
ベース材２は、帯状の部材であり、曲げ弾性率が８００〜２２００ＭＰａで、かつ、高硬度、具体的には、デュロメータ（タイプＡ）硬度が６５度以上の特性を有する樹脂、例えば、高密度ポリエチレン、ポリプロピレン、ポリアミド、またはポリ塩化ビニルなどの熱可塑性樹脂からなり、とくに、耐候性、経済性および汎用ホットメルト材との融着性にすぐれている点から高密度ポリエチレンが好ましい。ベース材２は、溶融状態で帯状に押し出し成形された後に螺旋状に形状保持されている。ベース材２は、上記の曲げ弾性率および硬度を有することによって十分な保形性を有し、それにより、直管２１に巻き付き固定した後でも、螺旋形状を保持することが可能である。
【００３８】
上記の曲げ弾性率８００〜２２００ＭＰａは、ＪＩＳ  Ｋ７１７１の測定規格に準拠して測定された曲げ弾性率が採用される。
【００３９】
また、上記のデュロメータ（タイプＡ）硬度が６５度は、ＪＩＳ  Ｋ７２１５の測定規格に準拠して測定されたデュロメータ（タイプＡ）硬度が採用される。
【００４０】
ここで、曲げ弾性率が８００ＭＰａ未満では直管２１などの取付対象に巻き付き固定するときに十分な締め付け強度が得られず、一方、曲げ弾性率が２２００ＭＰａより大きい範囲では、作業者が巻き付き固定の作業を行うことが困難になるので、上記のように、ベース材２は、曲げ弾性率が８００〜２２００ＭＰａの特性を有する樹脂であれば、直管２１などの取付対象に巻き付き固定するときに十分な締め付け強度が得られるとともに、作業者による巻き付き固定の作業が容易になる。
【００４１】
ベース材２は、取付対象である直管２１に巻き付けたときに当該ベース材２が弾性変形して直管２１を締め付けることができるように、ベース材の内径Ｄ１は、取付対象である直管２１の外径Ｄ２よりも小さくなるように設定され、とくに、ベース材２の内径Ｄ１は、直管２１の外径Ｄ２に対して９５〜６０％の長さになるように設定されているのが好ましい。ここで、ベース材２の内径Ｄ１が直管２１の外径Ｄ２に対して９５％より大きければ、ベース材２が直管２１を締め付ける強度が十分でなく、一方、ベース材２の内径Ｄ１が直管２１の外径Ｄ２に対して６０％未満であれば、螺旋状表示体１を直管２１に巻き付けるときにベース材２の変形の度合いが大きくなってベース材２が割れるおそれがある。そのため、上記のように、ベース材２の内径Ｄ１は、直管２１の外径Ｄ２に対して９５〜６０％の長さになるように設定されていれば、ベース材２は直管２１を締め付ける強度が十分に得られるとともに、直管２１に巻き付けるときにベース材２が割れるおそれがない。
【００４２】
また、ベース材２の螺旋形状は、当該ベース材２における長手方向に隣接する部分同士が互いにピッチＰだけ離れている形状であり、それによって、当該ベース材２を屈曲または伸縮することを容易に行うことが可能である。
【００４３】
ベース材２の断面形状は、本発明ではとくに限定されるものではないが、取付対象や使用目的によっては、厚さより幅方向に長い偏平した断面形状であればよく、例えば、角が丸くなった長方形、端部に曲面を有する長方形、中央が肉厚であり両端部の角が丸くなった長方体、上か下のどちらかに湾曲しかつ角が丸くなった長方体、または楕円形などの断面形状が採用され得る。
【００４４】
反射材３は、ベース材２の外表面に固着され、光を反射する層である。具体的には、反射材３は、図２に示されるように、透明な表面樹脂層７と、ガラスビーズ８と、反射層９とを備えている。表面樹脂層７の下面には、ガラスビーズ８が分散されている。反射層９は、表面樹脂層７との間でガラスビーズ８を挟み込むように、当該表面樹脂層７の下側に形成されている。
【００４５】
透明な表面樹脂層７は、例えば、一液硬化型の軟質ポリウレタン樹脂によって形成される。また、ガラスビーズ８は、例えば、高屈折率ガラスビーズからなる。反射層９は、例えば、アルミ蒸着などによって形成されている。
【００４６】
上記のように構成された反射層９は、ガラスビーズ８が反射層９に接触するように配置されているので、再帰反射（すなわち、入射した光が入射方向に反射する）の特性を有する。
【００４７】
なお、本発明では、反射材３はベース材２の外表面に固着され、光を反射する層であればよく、形状、構造または材料などはとくに限定されるものではない。
【００４８】
反射材３の幅Ｗ２は、ベース材２と反射材３とが同時に視認できるように、ベース材２の幅Ｗ１の０．１〜０．８倍の範囲になるように設定されている。
【００４９】
また、反射材３およびベース材２は、互いに異なる色を有し、これら反射材３とベース材２とが明確に区別できるような明確な色調の違いや明暗の違い（コントラスト）が得られる色の組み合わせであるのが好ましい。例えば、ベース材２は、黒又は茶色などの暗色であり、反射材３は、黄色や銀色などの明色またはメタリックカラーであるのが好ましい。とくに、ベース材２は、反射材３との明確なコントラストが得られ、かつ、紫外線による劣化を抑える点で、黒色であるのが好ましい。
【００５０】
上記の反射材３は、融着性樹脂層４によってベース材２の外表面に連続して固着されている。融着性樹脂層４は、反射材３をベース材２に融着する層である。融着性樹脂層４は、熱融着性を有する材料からなり、例えば、変性オレフィン樹脂などのホットメルト材からなる。
【００５１】
繊維層５は、ベース材２を補強する層であり、例えば、芯鞘ポリエステル繊維を用いて製造された不織布からなる。芯鞘ポリエステル繊維は、ポリエステルの芯と、当該芯の外周を取り囲む鞘として低融点の変性ポリエチレンの鞘とを備えている。変性ポリエチレンの鞘は、ポリエチレンなどの樹脂からなるベース材２に対して熱融着しやすい点で相性がよい。
【００５２】
繊維層５は、螺旋状のベース材２の内面に固着されている。具体的には、ベース材２を溶融状態で螺旋状に成形する際に繊維層５に含まれる変性ポリエチレンを溶融させてベース材２に接着することにより、繊維層５はベース材２の内周面に融着されている。
【００５３】
カバー層６は、繊維層５におけるベース材２に固着した面と反対側の面、すなわち、螺旋状表示体１の内周面側において、当該繊維層５に接着されている。カバー層６が螺旋状表示体１の内周面側に配置されていることにより、螺旋状表示体１を直管２１などの取付対象であるに巻き付けて固定した状態では、カバー層６が繊維層５と直管２１などの取付対象との間に介在し、これによって、繊維層５が直管２１などの取付対象に直接接触することを回避し、繊維層５の磨耗や破損を防止することが可能である。
【００５４】
上記のように構成された螺旋状表示体１は、長尺の取付対象であればその外周面に巻き付けて容易に固定することが可能であるので、種々の取付対象に固定することが可能であり、例えば、図４に示されるように、道路４０の路肩４１に設置されたガードレール３０に取り付けることが可能である。ガードレール３０は、波板３１と、当該波板３１を支持する複数の支柱３２とを備え、各支柱３２は、路肩４１に沿って地面に立設されている。螺旋状表示体１を全部または一部の支柱３２に取り付けることにより、螺旋状表示体１によって道路４０を通行する自動車の運転手の視線を道路４０の延びる方向へ誘導することが可能になる。
【００５５】
螺旋状表示体１をガードレール３０の支柱３２に装着する場合には、作業者は螺旋状表示体１の内周面を拡大するように広げてから当該螺旋状表示体１を支柱３２の所定の高さの位置に巻き付けていくだけでよい。螺旋状表示体１は、ベース材２の弾性によって支柱３２を締め付けることによって、支柱３２の所定の高さに容易に固定することが可能である。しかも、螺旋状表示体１のベース材２が上記の曲げ弾性率および硬度によって十分な締め付け強度を発揮するので、螺旋状表示体１を長期間にわたって設置しても、支柱３２からずれ落ちるおそれがない。
【００５６】
ここで、実験例として、螺旋状表示体のベース材の曲げ弾性率と、ガードレールの支柱に巻き付けたときにずり落ちる落下距離との関係を調べた結果を表１に示す。
【００５７】
なお、上記の実験の条件は、螺旋状表示体として、内径８４ｍｍ、ベース材の肉厚５ｍｍ、でかつ、４巻き（４ピッチ）からなる螺旋状表示体を、それぞれベース材の曲げ弾性率を５段階に変えたもの（２００、３５０、５００、１０００、１５００（ＭＰａ））を用意し、これらの螺旋状表示体を、外径が１１４ｍｍのガードレールの支柱に対して地上から３００ｍｍの高さに巻き付け、平均気温２５℃の環境下で、螺旋状表示体を屋外に１週間放置した後、これらの螺旋状表示体の落下距離を確認した。その結果が以下の表１である。
【００５８】
【表１】
2014164251.tif 000003
【００５９】
この表１から分かるように、ベース材の曲げ弾性率が２００ＭＰａ、３５０ＭＰａ、５００ＭＰａの場合には、螺旋状表示体は支柱からずり落ちたことが確認されたが、ベース材の曲げ弾性率が１０００ＭＰａ、１５００ＭＰａの場合には、螺旋状表示体が支柱からずり落ちないことが確認された。
【００６０】
また、本実施形態の螺旋状表示体１は、盗難防止のために、図４に示されるように、ベース材２をガードレール３０の支柱３２に固定する固定部材として盗難防止用ネジ１０をさらに備えている。盗難防止用ネジ１０は、タップネジなどからなる。ベース体２を支柱３２に巻き付き固定した後に、当該ネジ１０をベース体２の端部を貫通させながら支柱３２に穴を開けながらねじ込むことによって、当該ベース体２を支柱３２に固定し、それによって、螺旋状表示体１の盗難を防止、すなわち螺旋状表示体１が意図的に取り外されることを防止することが可能である。
【００６１】
また、本実施形態におけるベース材２の螺旋形状は、当該ベース材２における隣接するピッチの部分同士が互いに離れている形状であるので、当該ベース材２を屈曲または伸縮することを容易に行うことが可能であるので、上記のような直管２１だけでなく、種々の形状の円筒体類、例えば、図５に示されるように、湾曲した曲がり管２２の外周面にも螺旋状表示体１を巻き付き固定することが可能である。また、その他の円筒体類として、フレキシブル管、屈曲管、異形管、十字分岐管、またはＴ字分岐管などの外周面にも、螺旋状表示体１を巻き付けて固定することが可能である。
【００６２】
（製造方法の説明）
上記の螺旋状表示体１は、樹脂製のベース材２が溶融状態で螺旋状に成形されるとともに反射材３がベース材２の外表面に融着され、かつ、繊維層５がカバー層６に貼り付けられた状態で当該ベース材２の内周面に融着され、その後に当該ベース材２が螺旋状に形状保持された状態で固化されることにより、製造される。
【００６３】
すなわち、上記の螺旋状表示体１の製造方法は、ベース材２を溶融状態で螺旋状に成形するとともに、反射材３をベース材２の外表面に融着し、さらに、繊維層５をカバー層６に貼り付けられた状態で当該ベース材２の内周面に融着する成形工程と、ベース材２を固化して螺旋状に形状保持する形状保持工程とを含んでいる。
【００６４】
具体的には、以下の手順で螺旋状表示体１を製造する。図６に示されるように、まず、水平方向に延びる円筒状のマンドレル５２を旋回機５３を用いて回転軸Ｃ回りに旋回させながら当該回転軸Ｃ方向に前進させる。具体的には、旋回機５３は、回転軸Ｃに対して角度θ（例えば５０度）傾斜した矢印Ａ方向に延びる無端ベルト５３ａを有している。旋回機５３の無端ベルト５３ａは、マンドレル５２の外周面に接触しながら図５の矢印Ａ方向に平行に走行することにより、マンドレル５２を回転軸Ｃ回りに旋回させながら当該回転軸Ｃの延びる方向に前進させる、これにより、矢印Ｂの方向にマンドレル５２を螺旋回転させることが可能になる。これにより、ベース材２の幅が軸方向に隣接する部分と重ならないようにマンドレル５２の長さ方向への移動速度を調整することが可能である。
【００６５】
そして、上記のように螺旋回転されているマンドレル５２の外周面に向けて、高密度ポリエチレンからなるベース材２を押出成形用ダイス５１から加熱溶融された状態で帯状に押し出して、当該ベース材２をその表面温度が高温（１７０℃程度）の状態でマンドレル５２の外周面に当該マンドレル５２の旋回機５３側の端部付近から螺旋状に巻き付けていく。それとともに、帯状の反射材３の一方の面に融着性樹脂層４が形成された帯状体（例えば、ユニチカスパークラスタ社製の反射帯状体）を、融着性樹脂層４が高温のベース材２に接触するように、ベース材２の外周面の幅方向中心を通るように巻き付けていく。このとき、反射材３が融着性樹脂層４によってベース材２に連続的に融着される。さらにそれと同時に、芯鞘ポリエステル繊維の不織布からなる繊維層５とカバー層６とが積層された繊維テープ１１をベース材２の内周面側になるようにマンドレル５２に螺旋状に巻き付けていき、当該繊維層５を高温のベース材２に接触させることによって繊維層５に含まれる変性ポリエチレンをベース材２に融着していく。このときカバー層６は、マンドレル５２の外周面に接触するように配置される。
【００６６】
上記のように、反射材３、ベース材２、繊維層５およびカバー層６が積層された状態でマンドレル５２に螺旋状に巻き付けられながら矢印Ｂ方向に螺旋回転していくときに、これらベース材２、反射材３、および繊維テープ１１（繊維層５およびカバー層６）がマンドレル５２への巻き付けが完了した位置から当該マンドレル５２の旋回機５３とは反対側の端部にかけての区間において、当該ベース材２、反射材３および繊維層５を外部から水冷および空冷などによって冷却することにより、当該ベース材２は螺旋形状を保持した状態で固化し、それとともに、反射材３とベース材２との間の融着性樹脂層４が凝固することによって反射材３のベース材２に対する接着が完了し、さらに、繊維層５に含まれる変性ポリエチレンが凝固することによって繊維層５のベース材２に対する接着が完了する。その後、マンドレル５２を螺旋状表示体１の内部から抜き取ることにより、螺旋状表示体１の製造が完了する。
【００６７】
（特徴）
（１）
本実施形態の螺旋状表示体１は、曲げ弾性率が８００ＭＰａ以上の特性を有する樹脂からなり、螺旋状に形状が保持されているベース材２と、ベース材２の外表面に固着され、光を反射する反射材３とを備えており、ベース材２の内径Ｄ１は、取付対象である直管２１の外径Ｄ２よりも小さくなるように設定されている。したがって、螺旋状表示体１を長尺の取付対象の外周面に装着したときに、ベース材２が有する弾性および曲げ剛性に起因する当該ベース材２の保形性によって、ベース材２は、その内径Ｄ１が取付対象の外径Ｄ２よりも小さくなる方向へ弾性変形して取付対象の外周面を締め付けることが可能である。これによって、螺旋状表示体１が当該取付対象の外周面からずれ落ちることを防止することが可能である。これにより、螺旋状表示体１は、取付対象からずり落ちない程度の締付力を長期間発揮することが可能である。
【００６８】
とくに、本実施形態では、ベース材２の曲げ弾性率が８００〜２２００ＭＰａであるので、螺旋状表示体１を取付対象の外周面に装着する作業だけで装着後はベース部材の保形性によって当該取付対象を締め付けて固定されるので、従来のように螺旋状表示体を柱状体の取付対象の外周面に接着したり、締結部品で当該螺旋状表示体１の端部を締結したりする作業が不要になる。そのため、作業工程を削減し、取付作業性を大幅に向上することが可能である。
【００６９】
（２）
本実施形態の螺旋状表示体１によれば、繊維層５がベース材２の内面に固着され、当該ベース材２が繊維層５によって補強されているので、曲げ剛性の高い樹脂を用いてベース部材を形成しても当該ベース部材を屈曲や伸縮したときにベース材２が割れるおそれを低減することが可能である。これにより、取り付け作業時に押し広げても、ベース材２が割れるおそれを大幅に低減することが可能である。
【００７０】
（３）
しかも、繊維層５がベース材２の内面に固着されているので、螺旋状表示体１を取付対象に装着したときに当該繊維層５がベース材２と取付対象（ガードレール３０の支柱３２など）との間に介在することによってこれらの間の摩擦を増大させ、当該螺旋状表示体１のずれをより確実に防止することが可能である。しかも、樹脂製のベース材２を溶融状態で螺旋状に成形しながら当該ベース材２の内面に繊維層５を固着させた後に当該ベース材２を冷却固化させるときに、繊維層５によってベース材２の内面にシワが発生することを防止するので、ベース材２の材料の偏在を防止し、その結果、螺旋状表示体１の耐久性が向上する。
【００７１】
（４）
本実施形態の螺旋状表示体１によれば、ベース材２を溶融状態で螺旋状に成形するときに、それと同時に融着性樹脂層４によって反射材３をベース材２に融着することが可能である。これにより、製造工程の削減が可能になる。
【００７２】
（５）
本実施形態の螺旋状表示体１によれば、反射材３の幅Ｗ２は、ベース材２の幅Ｗ１の０．１〜０．８倍の範囲であり、反射材３は、ベース材２の外表面に連続して固着され、反射材３とベース材２とが互いに異なる色（例えば、ベース材２が黒色で、反射材３が黄色）を有するので、互いに異なる色の反射材３とベース材２とを同時に視認することが可能になり、しかも、ベース材２と反射材３との間で色調または明暗の差を形成することが可能になるので、螺旋状表示体１の視認性を向上することが可能になる。
【００７３】
（６）
本実施形態の螺旋状表示体１によれば、ベース材２が暗色（例えば、黒色）であるので、白色などの明るい色の取付対象に螺旋状表示体１を装着したときに、当該取付対象の色とベース材２との明暗の差が顕著になるので、視認性がより向上する。
【００７４】
（７）
本実施形態の螺旋状表示体１によれば、取付対象として道路４０の路肩４１に設置されたガードレール３０の支柱３２に螺旋状表示体１を装着することにより、螺旋状表示体１によって道路４０を通行する自動車の運転手の視線を道路４０の延びる方向へ誘導することが可能になる。とくに、螺旋状表示体１は無指向性であり、ガードレール３０の支柱３２の周囲においてどの方向から見ても当該螺旋状表示体１を視認することが可能であるので、指向性のあるデリメータなどの従来公知の視線誘導表示器と比較して、視認性を大幅に向上することが可能である。
【００７５】
（８）
本実施形態の螺旋状表示体１によれば、盗難防止用ネジ１０によって、ベース材２がガードレール３０の支柱３２に固定されるので、螺旋状表示体１の盗難を防止することが可能である。
【００７６】
なお、ベース材２をガードレール３０の支柱３２に固定する固定部材として、盗難防止用ネジ１０以外にも、リベットやボルトなどの他の固定部材も採用することが可能である。
【００７７】
（９）
本実施形態の螺旋状表示体１およびその製造方法によれば、ベース材２を溶融状態で螺旋状に成形するとともに反射材３をベース材２の外表面に融着し、その後にベース材２を螺旋状に形状保持した状態で固化することにより、高い曲げ弾性率および高い剛性を有することによって高い保形性が確保された螺旋状表示体１を連続的に製造できるので、当該螺旋状表示体１を少ない製造工程で短時間に大量生産することが可能である。
【００７８】
（１０）
本実施形態の螺旋状表示体１の製造方法によれば、ベース材２を溶融状態で螺旋状に成形しながら当該ベース材２の内面に繊維層５を付着させた後に当該ベース材２を冷却固化させるときに、繊維層５によってベース材２の内面にシワが発生することを防止するので、ベース材２の材料の偏在を防止し、その結果、螺旋状表示体１の耐久性が向上する。
【００７９】
（変形例）
（Ａ）
上記実施形態では、螺旋状表示体１が道路の路肩に設置された柱状体に取り付けられる例として、螺旋状表示体１をガードレール３０の支柱３２に巻き付けて固定する例が示されているが、本発明はこれに限定されるものではなく、他の柱状体、例えば、道路標識の支柱または信号機の支柱などに本発明の螺旋状表示体１を巻き付けて固定してもよい。またはガードレールのビーム（梁材）に本発明の螺旋状表示体１を巻き付けて固定してもよい。これらの場合も、螺旋状表示体１によって道路を通行する自動車の運転手の視線を誘導することが可能になる。
【００８０】
（Ｂ）
さらに、本発明の螺旋状表示体が取り付けられる他の長尺の取付対象として、例えば、工場内に有るホース類やコード類を取付対象としてもよい。その場合、複数のホース類を束ねた集合体に対して螺旋状表示体を巻き付けて利用すればよい。その場合も、螺旋状表示体によって視認性が向上し、作業者の注意喚起が可能になるので、これらホース類につまずくなどの不具合を低減することが可能である。
【００８１】
（Ｃ）
また、上記実施形態では、ベース材２は、黒または茶色などの暗色であるが、本発明はこれに限定されるものではなく、他の色であってもよい。例えば、螺旋状表示体１が取り付けられる取付対象が茶色系の暗色のガードレールである場合には、螺旋状表示体１のベース材２を白などの明色にしてもよい。
【００８２】
（Ｄ）
上記実施形態では、繊維層５は、螺旋状のベース材２の内面に固着されているが、本発明はこれに限定されるものではなく、他の部位に形成してもよい。例えば、ベース材２の中間層として繊維層５を形成してもよい。その場合、繊維層５は、ベース材２によって外部から保護されているので、繊維層５を保護するためのカバー層６が不要になる。
【００８３】
（Ｅ）
上記実施形態では、繊維層５およびカバー層６を備えた螺旋状表示体１を例に挙げて説明したが、本発明はこれに限定されるものではなく、これら繊維層５および／またはカバー層６を省略してもよく、その場合であっても、上記のように螺旋状表示体１が取付対象の外周面からずれ落ちることを防止することが可能である。
【符号の説明】
【００８４】
１  螺旋状表示体
２  ベース材
３  反射材
４  融着性樹脂層
５  繊維層
１０  盗難防止用ネジ（固定部材）
２１  直管
２２  曲管
３０  ガードレール
３２  支柱
【図１】
2014164251.tif 000004
【図２】
2014164251.tif 000005
【図３】
2014164251.tif 000006
【図４】
2014164251.tif 000007
【図５】
2014164251.tif 000008
【図６】
2014164251.tif 000009